(57)【要約】【課題】検出した放射線強度をその強度に応じた振動として体感でき、しかも、放射線検出部や制御部の振動に起因する故障を未然に防止できる放射線検出器を提供する。【解決手段】放射線検出プローブ２が放射線を検出すると、制御部５により作動制御される振動部８が放射線強度に応じて振動するため、検出した放射線強度をその強度に応じた振動として迅速かつ確実に体感できる。その際、振動部８の振動は、振動吸収部材に吸収されて操作グリップ１には殆ど伝わらないため、放射線検出プローブ２や制御部５の振動に起因する故障を未然に防止することができる。【選択図】　　　　図１
2004093456.tif 000002
【特許請求の範囲】
【請求項１】
手に握られて操作される操作グリップの先端側に放射線検出部を備え、この放射線検出部に電気的に接続された制御部を前記操作グリップ内に備えている放射線検出器であって、前記放射線検出部が検出した放射線強度に応じて前記制御部により作動が制御される振動部が前記操作グリップに振動吸収部材を介して設けられていることを特徴とする放射線検出器。
【請求項２】
請求項１に記載の放射線検出器であって、前記振動部が前記操作グリップの周面の手指の届く範囲に臨んで配置されていることを特徴とする放射線検出器。
【請求項３】
請求項１に記載の放射線検出器であって、前記振動部が前記操作グリップのグリップエンドを構成していることを特徴とする放射線検出器。
【請求項４】
請求項１に記載の放射線検出器であって、前記振動部が前記操作グリップの基端部側を構成していることを特徴とする放射線検出器。
【請求項５】
請求項１〜４の何れかに記載の放射線検出器であって、前記操作グリップには、前記放射線検出部が検出した放射線強度に応じて前記制御部により作動が制御される表示部および音声出力部が設けられていることを特徴とする放射線検出器。
【請求項６】
請求項５に記載の放射線検出器であって、前記制御部は、前記振動部、表示部および音声出力部を個別に制御可能に構成されていることを特徴とする放射線検出器。
【発明の詳細な説明】
【０００１】
【発明の属する技術分野】
本発明は、操作グリップを備えるハンディタイプの放射線検出器に関し、詳しくは、検出した放射線強度を振動として体感できるようにした放射線検出器に関するものである。
【０００２】
【従来の技術】
放射線を検出するハンディタイプの機器として、放射線取り扱い施設における被爆量を検出するための携帯機が一般に知られている（例えば特許文献１参照）。この携帯機は、携帯電話機やＰＨＳをベースに構成されたものであり、マイク、スピーカ、液晶表示器、バイブレータ、バッテリーの他、アンテナに内蔵された放射線センサを有する放射線検出部や、放射線の被爆線量をカウントする線量カウンタを有するコントローラ等の制御部を備えている。そして、この携帯機は、被爆線量の異常が判定されると、コントローラからの出力によってスピーカがアラーム音を発声し、液晶表示器がアラームメッセージを表示し、バイブレータが振動することにより、作業者に被爆線量の異常を伝達するように構成されている。
【０００３】
【特許文献１】
特開平１１−２４８８３９号公報
【０００４】
【発明が解決しようとする課題】
ところで、前記公報に記載の携帯機は、放射線の被爆量の異常時にその異常をスピーカ、液晶表示器およびバイブレータによって作業者に伝達するものであり、バイブレータは携帯機の全体を振動させるように構成されている。このため、この携帯機においては、検出した放射線強度をその強度に応じた振動として体感できないばかりか、放射線センサを有する放射線検出部やコントローラ等の制御部に振動が伝播してこれらの故障を誘発する虞がある。また、バイブレータの負荷が大きいため、バッテリーの消耗が大きいという問題もある。
【０００５】
そこで、本発明は、検出した放射線強度をその強度に応じた振動として体感でき、しかも、放射線検出部や制御部の振動に起因する故障を未然に防止できる放射線検出器を提供することを課題とする。
【０００６】
【課題を解決するための手段】
本発明に係る放射線検出器は、手に握られて操作される操作グリップの先端側に放射線検出部を備え、この放射線検出部に電気的に接続された制御部を操作グリップ内に備えている放射線検出器であって、放射線検出部が検出した放射線強度に応じて制御部により作動が制御される振動部が操作グリップに振動吸収部材を介して設けられていることを特徴とする。
【０００７】
本発明に係る放射線検出器では、放射線検出部が放射線を検出すると、制御部により作動制御される振動部が放射線強度に応じて振動する。その際、振動部の振動は、振動吸収部材に吸収されて操作グリップには殆ど伝わらないため、放射線検出部や制御部の振動に起因する故障が未然に防止される。
【０００８】
本発明の放射線検出器において、振動部は、操作グリップの周面の手指（例えば親指や人差し指）の届く範囲に臨んで設置するのが好ましい。この場合、操作グリップを手に握った状態で容易に手指を振動部に触れることができ、振動部の振動を手指で確実に体感することができる。
【０００９】
また、振動部は、操作グリップのグリップエンドを構成するように配設してもよいし、操作グリップの基端部を構成するように配設してもよい。
【００１０】
本発明の放射線検出器において、操作グリップには、放射線検出部が検出した放射線強度に応じて制御部により作動が制御される表示部および音声出力部を設けることができる。この場合、放射線検出部が検出した放射線強度を振動部の振動、表示部の表示および音声出力部の音声により相互補完的に伝達することができる。
【００１１】
ここで、制御部が振動部、表示部および音声出力部を個別に制御可能に構成されていると、振動部の振動、音声出力部の音声、表示部の表示の３者の任意の組み合わせにより、検出した放射線強度をより正確に伝達することができる。
【００１２】
【発明の実施の形態】
以下、図面を参照して本発明に係る放射線検出器の実施の形態を説明する。参照する図面において、図１は本発明の一実施形態に係る放射線検出器の概略構造を示す縦断面図、図２は図１に示した振動部の構造を拡大して示す部分断面図、図３は図２に示した振動部の分解斜視図、図４は図１に示した制御部の作用を示すフローチャート、図５は図４に示したスピーカおよび振動体の作動パターンを模式的に示す作動パターン図である。
【００１３】
本発明の一実施形態に係る放射線検出器は、図１に示すように、手に握られて操作される操作グリップ１を本体とし、この操作グリップ１の先端側に放射線検出部としての放射線検出プローブ２が突設されたハンディなコードレスタイプのサージカルプローブとして構成されており、例えば、放射性薬剤を用いた乳癌の転移巣検出などの目的で使用される。
【００１４】
この放射線検出器は、中空に形成された操作グリップ１の内部に電源用のバッテリー３、電源スイッチ４、制御部５、表示部６、音声出力部７、振動部８などを備えている。電源スイッチ４、制御部５および表示部６は、操作グリップ１の先端部内に配置されており、電源スイッチ４の操作部４Ａおよび表示部６の表示パネル６Ａは操作グリップ１の先端部の周面に臨んで配置されている。また、音声出力部７は操作グリップ１の基端部に配置されている。そして、音声出力部７の前方にバッテリー３が配置され、その前方に振動部８が配置されている。
【００１５】
放射線検出プローブ２は、放射線強度を検出する放射線検出素子２Ａをキャップ状のプローブカバー２Ｂ内に気密に内蔵した気密構造のプローブとして構成されている。放射線検出素子２Ａは、放射線フォトンのエネルギに応じた波高値を持つ電圧パルスを発生する半導体素子であり、リード線２Ｃを介して操作グリップ１側の制御部５に電気的に接続されている。
【００１６】
制御部５は、図示しない電源回路、信号処理回路、駆動回路などを備えており、放射線検出プローブ２の放射線検出素子２Ａから放射線強度に応じて出力される検出信号としてのパルス信号を入力する。この制御部５は、信号処理回路により入力パルス信号の波高を所定の閾値により弁別処理することにより、入力パルス数に応じた駆動信号を表示部６、音声出力部７および振動部８にそれぞれ個別に出力する。すなわち、表示部６には入力パルス数の増減に応じた表示パネル駆動信号を出力し、音声出力部７には入力パルス数の増減に応じた周波数変調音またはビープ音のスピーカ駆動信号を出力し、振動部８には入力パルス数の増減に応じた断続または連続の振動体駆動信号を出力する。
【００１７】
表示部６は、制御部５からの駆動信号に基づき、放射線検出素子２Ａが検出した放射線強度のデータを表示パネル６Ａに表示する。なお、表示パネル６Ａとしては、例えば液晶やＬＥＤによる表示パネルが挙げられる。音声出力部７は、制御部５からのスピーカ駆動信号に基づき、放射線検出素子２Ａが検出した放射線強度を示す周波数変調音またはビープ音をスピーカ７Ａから出力する。振動部８は、制御部５からの振動体駆動信号に基づき、放射線検出素子２Ａが検出した放射線強度の増減に応じて振動が漸次増減する。
【００１８】
ここで、図２および図３に示すように、振動部８は、制御部５からの振動体駆動信号に応じて振動する振動体８Ａと、操作グリップ１を握った手指に振動体８Ａの振動を伝達する振動伝達子８Ｂと、振動体８Ａおよび振動伝達子８Ｂを保持する振動吸収部材８Ｃとを備えて構成されている。
【００１９】
振動体８Ａは、例えばスピーカやブザー、偏心オモリを用いたバイブレータ、スピーカ・バイブレータ一体型振動体等により構成されており、円形の振動面８Ａ１を有する。
【００２０】
振動伝達子８Ｂは、振動体８Ａの振動面８Ａ１に端面が接着される小径の接続部８Ｂ１と、手指が接触する大径の接触部８Ｂ２とを有する段付きのボタン状に形成されている。この振動伝達子８Ｂの材質は、特に限定されないが、弾性のあるゴム等で構成されていると、手指の感触が良好となるので好ましい。
【００２１】
振動吸収部材８Ｃは、例えば、軟質の合成ゴムや発泡樹脂などの適宜の弾性材料により概略長方形の厚板状に形成されている。この振動吸収部材８Ｃには、振動伝達子８Ｂを嵌め込んで接着する段付きの装着孔８Ｃ１が形成されている。
【００２２】
このような振動体８Ａ、振動伝達子８Ｂ、振動吸収部材８Ｃからなる振動部８は、振動吸収部材８Ｃの装着孔８Ｃ１に振動伝達子８Ｂを嵌め込んで接着し、振動伝達子８Ｂの接続部８Ｂ１の端面に振動体８Ａの振動面８Ａ１を接着した状態で、振動吸収部材８Ｃが操作グリップ１の内壁面１Ａに接着される。
【００２３】
これに対応して、操作グリップ１には、振動伝達子８Ｂの接触部８Ｂ２を操作グリップ１の周面に臨ませる皿状の開口部１Ｂが形成されている。この開口部１Ｂは、操作グリップ１を握った手指、例えば親指や人差し指の届く範囲に形成されている。
【００２４】
一実施形態の放射線検出器では、使用に際し、放射線検出プローブ２の先端を患者の被測定部位に向けると、図４に示すように、被測定部位からの放射線が放射線検出素子２Ａに入射し（Ｓ１）、放射線検出素子２Ａが入射された放射線強度に応じた検出パルス信号を操作グリップ１側の制御部５に出力する（Ｓ２）。
【００２５】
放射線検出素子２Ａから検出パルス信号を入力した制御部５は、検出パルス信号を波高弁別して入力パルス数を出力し（Ｓ３）、その入力パルス数をカウントする（Ｓ４）。そして、入力パルス数が振動体８Ａを駆動するための所定の閾値を超えたか否かを判定する（Ｓ５）。同様に、制御部５は、入力パルス数がスピーカ７Ａを駆動するための所定の閾値を超えたか否かを判定する（Ｓ６）。なお、表示パネル６Ａには、入力パルス数のカウント値を常時出力して表示させる。
【００２６】
続いて、制御部５は、ステップＳ５の判定結果がＹＥＳの場合、振動体８Ａに振動体駆動信号を出力する（Ｓ７）。同様に、制御部５は、ステップＳ６の判定結果がＹＥＳの場合、スピーカ７Ａにスピーカ駆動信号を出力する（Ｓ８）。
【００２７】
その結果、振動部８の振動体８Ａが放射線強度に応じて断続的にまたは連続して振動し、音声出力部７のスピーカ７Ａが放射線強度に応じた周波数変調音またはビープ音を出力し、表示部６の表示パネル６Ａが放射線強度に応じたデータを表示する。
【００２８】
ここで、制御部５は、放射線検出素子２Ａからの入力パルス数の閾値として、例えば第１閾値〜第５閾値を設定することができ、また、第１閾値〜第５閾値を基準としてスピーカ７Ａおよび振動体８Ａの作動パターンを個別に設定することができる。
【００２９】
図５はその一例を示しており、スピーカ７Ａの作動パターンとしては、入力パルス数の増加に伴ない振動数が増大する周波数変調音とすることができる。また、第１閾値から第２閾値までの間は不連続のビープ音とし、第２閾値から第５閾値までの間は連続したビープ音（フリッカー）とすることもできる。これらの場合、振動体８Ａの作動パターンは、第２閾値から第３閾値までの間は間隔の長い断続振動に、第３閾値から第４閾値までの間は間隔の短い断続振動に、第４閾値から第５閾値までの間は連続した振動に設定される。
【００３０】
図５に示すスピーカ７Ａおよび振動体８Ａの作動パターンによれば、振動体８Ａが振動しない状態と、スピーカ７Ａが出力する低い周波数変調音または不連続なビープ音との組み合わせにより、放射線検出素子２Ａからの入力パルス数が第１閾値から第２閾値までの間にあることが確実に感知される。
【００３１】
また、振動体８Ａが長い間隔で断続振動する状態と、スピーカ７Ａが出力する中音域の周波数変調音または連続したビープ音との組み合わせにより、放射線検出素子２Ａからの入力パルス数が第２閾値から第３閾値までの間にあることが確実に感知される。
【００３２】
さらに、振動体８Ａが短い間隔で断続振動する状態と、スピーカ７Ａが出力する中音域の周波数変調音または連続したビープ音との組み合わせにより、放射線検出素子２Ａからの入力パルス数が第３閾値から第４閾値までの間にあることが確実に感知される。
【００３３】
そして、振動体８Ａが連続振動する状態と、スピーカ７Ａが発声する高音域のウェーブ音または連続したビープ音との組み合わせにより、放射線検出素子２Ａからの入力パルス数が第４閾値から第５閾値までの間にあることが確実に感知される。
【００３４】
このように、一実施形態の放射線検出器においては、放射線検出プローブ２の放射線検出素子２Ａが患者の被測定部位からの放射線を検出し、その放射線強度に応じた検出パルス信号を出力すると、表示部６の表示パネル６Ａが放射線強度に応じたデータを表示すると共に、音声出力部７のスピーカ７Ａが放射線強度に応じた周波数変調音またはビープ音を出力し、さらに、振動部８の振動体８Ａが放射線強度に応じて断続的にまたは連続して振動する。
【００３５】
そこで、操作グリップ１の周面に臨んで設置された振動部８の振動伝達子８Ｂの接触部８Ｂ２に手指を触れることで、検出された放射線強度をその強度に応じた振動として迅速かつ確実に体感することができる。そして、この振動伝達子８Ｂの振動と、スピーカ７Ａが出力する周波数変調音またはビープ音との組み合わせにより、検出された放射線強度が第１閾値〜第５閾値の間のどの範囲にあるかを極めて容易に、かつ正確に感知することができる。
【００３６】
ここで、一実施形態の放射線検出器においては、振動部８を構成する振動体８Ａおよび振動伝達子８Ｂが軟質の合成ゴムや発泡樹脂などの弾性材料で構成され振動吸収部材８Ｃを介して操作グリップ１の内壁面１Ａに固定されているため、振動体８Ａおよび振動伝達子８Ｂの振動は、振動吸収部材８Ｃに吸収されて操作グリップ１には殆ど伝わらない。従って、放射線検出部としての放射線検出プローブ２や制御部５には振動が殆ど伝わらず、これらの振動に起因する故障が未然に防止される。
【００３７】
また、振動部８を構成する振動伝達子８Ｂの接触部８Ｂ２は、操作グリップ１の周面の手指の届く範囲、例えば親指や人差し指の届く範囲に臨んで配置されているため、操作グリップ１を手に握った状態で容易に親指または人差し指を接触部８Ｂ２に触れることができ、その振動を確実に体感することができる。
【００３８】
本発明に係る放射線検出器は、前述した一実施形態に限定されるものではない。例えば、図５に示したスピーカ７Ａおよび振動体８Ａの作動パターンは、図６または図７に示す作動パターンに変更することができる。
【００３９】
図６に示す作動パターンでは、スピーカ７Ａの作動パターンが入力パルス数の増加に伴ない漸次振動数が増大する周波数変調音に設定される。この場合、振動体８Ａの作動パターンは、第３閾値から第４閾値までの間は間隔の短い断続振動に、第４閾値から第５閾値までの間は連続した振動に設定される。
【００４０】
図６に示す作動パターンによれば、放射線検出素子２Ａからの入力パルス数が第１閾値〜第５閾値のどの範囲にあるのかをスピーカ７Ａの周波数変調音により大まかに見当をつけながら、入力パルス数が第３閾値を超えたことを振動体８Ａの断続振動により確実に感知することができる。また、入力パルス数が第４閾値を超えたことを振動体８Ａの連続振動により確実に感知することができる。
【００４１】
一方、図７に示す作動パターンでは、スピーカ７Ａの作動パターンが第１閾値から第２閾値までの間は不連続のビープ音に、第２閾値から第５閾値までの間は連続したビープ音（フリッカー）に設定される。この場合、振動体８Ａの作動パターンは、第１閾値から第２閾値までの間は間隔の短い断続振動に、第２閾値から第５閾値までの間は連続した振動に設定される。
【００４２】
図７に示す作動パターンによれば、放射線検出素子２Ａからの入力パルス数が第２閾値を超えたことをスピーカ７Ａの連続したビープ音と、振動体８Ａの連続振動とによって、確実に感知することができる。
【００４３】
また、本発明の放射線検出器において、図１に示した振動部８は、図８および図９に示す構造の振動部９に変更することができる。この振動部９は、制御部５からの振動体駆動信号に応じて振動する振動体９Ａと、操作グリップ１を握った手指に振動体９Ａの振動を伝達する振動伝達子９Ｂと、振動体９Ａおよび振動伝達子９Ｂを保持する振動吸収部材９Ｃとを備えて構成されている。
【００４４】
振動体９Ａは、例えばスピーカやブザー、偏心オモリを用いたバイブレータ、スピーカ・バイブレータ一体型振動体等により構成されており、略直方体に形成された一面に略正方形の振動面９Ａ１を有する。また、振動伝達子９Ｂは、振動体９Ａの振動面９Ａ１に端面が接着される小径の接続部９Ｂ１と、手指が接触する大径の接触部９Ｂ２とを有する段付きの短円柱状に形成されている。この振動伝達子９Ｂの材質は、特に限定されないが、弾性のあるゴム等で構成されていると、手指の感触が良好となるので好ましい。
【００４５】
振動吸収部材９Ｃは、例えば、軟質の合成ゴムや発泡樹脂などの適宜の弾性材料により構成されている。この振動吸収部材９Ｃは、振動伝達子９Ｂを嵌め込んで接着する段付き状の装着孔９Ｃ１と、この装着孔９Ｃ１の形状に対応した外形の小径部９Ｃ２および大径部９Ｃ３とを有する段付きのリング状に形成されている。
【００４６】
このような振動体９Ａ、振動伝達子９Ｂ、振動吸収部材９Ｃからなる振動部９は、振動吸収部材９Ｃの装着孔９Ｃ１に振動伝達子９Ｂが嵌め込まれて接着され、振動伝達子９Ｂの接続部９Ｂ１の端面に振動体９Ａの振動面９Ａ１が接着されて組み立てられる。そして、この振動部９は、振動伝達子９Ｂの接触部９Ｂ２が操作グリップ１の周面に臨むように操作グリップ１に組み付けられる。そのための構造として、操作グリップ１の周面には、振動吸収部材９Ｃの外形に対応した段付き状の装着孔１Ｃが開口されている。この装着孔１Ｃは、操作グリップ１を握った手指、例えば親指や人差し指の届く範囲に形成されている。
【００４７】
このような構造の振動部９によれば、振動伝達子９Ｂの接触部９Ｂ２の表面が操作グリップ１の周面と略面一に配置されるため、操作グリップ１を握った手指を接触部９Ｂ２の表面に容易に触れることができ、接触部９Ｂ２の振動の確認が一層容易となる。
【００４８】
さらに、本発明の放射線検出器において、図１に示した振動部８は、図１０〜図１３に示す構造の振動部１０に変更することができる。この振動部１０は、操作グリップ１の周面に開口して形成された装着凹部１Ｄに嵌め込んで着脱自在に装着される単体部品として構成されたものであり（図１０参照）、制御部５からの振動体駆動信号に応じて振動する振動体１０Ａと、この振動体１０Ａを埋め込んで保持する振動吸収部材１０Ｂと、この振動吸収部材１０Ｂの支持ベース１０Ｃとを備えて構成されている（図１１参照）。
【００４９】
振動体１０Ａは、例えばスピーカやブザー、偏心オモリを用いたバイブレータ、スピーカ・バイブレータ一体型振動体等により構成されており、図１１に示すように、略直方体の外形を呈する。この振動体１０Ａには、制御部５に接続するためのコネクタピン１０Ａ１をそれぞれ有する一対のリード線１０Ａ２が接続されている。
【００５０】
振動吸収部材１０Ｂは、例えば、軟質の合成ゴムや発泡樹脂などの適宜の弾性材料により構成されている。この振動吸収部材１０Ｂは、振動体１０Ａを埋め込む凹部１０Ｂ１が形成された厚肉のボックス状に形成されており、その底部には振動体１０Ａ側の一対のコネクタピン１０Ａ１を挿通させる一対の挿通孔１０Ｂ２が形成されている。
【００５１】
支持ベース１０Ｃは、振動吸収部材１０Ｂの凹部１０Ｂ１が開口する面と反対側の背面に接着される板状に形成されている。この支持ベース１０Ｃには、振動吸収部材１０Ｂの一対の挿通孔１０Ｂ２に挿通された一対のコネクタピン１０Ａ１の基部を嵌合固定する一対の嵌合孔１０Ｃ１が形成されている。
【００５２】
なお、この支持ベース１０Ｃは、図１４に示すようなボックス状の支持ベース１０Ｄに変更することができる。この支持ベース１０Ｄは、振動吸収部材１０Ｂが嵌め込まれるボックス状に形成されたものであり、その底部には、支持ベース１０Ｃの嵌合孔１０Ｃ１と同様の嵌合孔１０Ｄ１が形成される。
【００５３】
ここで、振動体１０Ａ、振動吸収部材１０Ｂ、支持ベース１０Ｃからなる振動部１０は、振動吸収部材１０Ｂの背面に支持ベース１０Ｃが接着され、振動体１０Ａのコネクタピン１０Ａ１が振動吸収部材１０Ｂの挿通孔１０Ｂ２に挿通されてその基部が支持ベース１０Ｃの嵌合孔１０Ｃ１に嵌合固定され、この状態で、振動体１０Ａが振動吸収部材１０Ｂの凹部１０Ｂ１に埋め込まれて接着されることにより、図１２に示すような単体部品として構成される。この場合、振動体１０Ａは、操作グリップ１を握った手指が触れ易いように、振動吸収部材１０Ｂから若干突出する状態で埋め込まれる（図１３参照）。
【００５４】
単体部品として構成された振動部１０は、図１３に示すように、操作グリップ１の周面に開口して形成された装着凹部１Ｄに嵌め込まれて着脱自在に装着される。そのための構造として、装着凹部１Ｄの底部には、振動部１０の支持ベース１０Ｃから突出する一対のコネクタピン１０Ａ１（図１１参照）が差し込まれる一対のソケット１Ｅが配設されている。一対のソケット１Ｅは、リード線１Ｆにより図１に示した制御部５に接続されている。
【００５５】
このような構造の振動部１０によれば、振動体１０Ａが振動吸収部材１０Ｂから若干突出しているため、操作グリップ１を握った手指を振動体１０Ａの突出面に容易に触れることができ、振動体１０Ａの振動を容易に確認することができる。また、振動部１０が操作グリップ１に対して着脱自在に構成されているため、振動部１０の交換が容易である。
【００５６】
なお、図１０に示した振動部１０は、図１５に示すように、操作グリップ１の周面に臨む部分が円形となるような短円柱状の振動部１１に変更することができる。この振動部１１は、形状のみが振動部１０と異なり、構造は振動部１０と略同様である。この振動部１１によっても、振動部１０と同様の作用効果が得られる。
【００５７】
ここで、図１０および図１５に示すように、操作グリップ１の周面には、振動部１０を覆う形態の指先ガイドカバー１Ｇを接着して設けることができる。この指先ガイドカバー１Ｇは、振動部１０の振動体１０Ａに触れた指先をカバーするように湾曲した部材であり、図１６に示すように、操作グリップ１の基端部側に向けて開口する指先挿入口１Ｈを操作グリップ１の周面との間に形成する。
【００５８】
この指先ガイドカバー１Ｇが付設された放射線検出器においては、指先挿入口１Ｈに指先を差し込むことで、指先が振動部１０へ向けて案内され、その振動体１０Ａに指先が確実に触れる。そして、この状態が保持されるため、振動体１０Ａの振動を指先で確実に感知することができる。
【００５９】
なお、図１６に示す放射線検出器では、２つの振動部１０または振動部１１に対応して２つの指先ガイドカバー１Ｇが操作グリップ１に付設されているが、その個数は任意であり、図１７に示すように、１つの指先ガイドカバー１Ｇが付設された放射線検出器とすることもできる。
【００６０】
また、本発明の放射線検出器において、図１に示した振動部８は、図１８〜図２０に示す構造の振動部１２に変更することができる。この振動部１２は、操作グリップ１の基端部の周面を切り欠いて形成された装着凹部１Ｊに装着される比較的大型に構成されたものであり、制御部５からの振動体駆動信号に応じて振動する振動体１２Ａを内蔵した直方体状の振動伝達部材１２Ｂと、この振動伝達部材１２Ｂを嵌めこんで保持する薄肉のボックス状に形成された振動吸収部材１２Ｃとを備えて構成されている（図１２参照）。
【００６１】
振動体１２Ａは、例えばスピーカやブザー、偏心オモリを用いたバイブレータ、スピーカ・バイブレータ一体型振動体等により構成されている。この振動体１２Ａには、制御部５に接続するためのコネクタ１２Ａ１を有する４本のリード線１２Ａ２が接続されている。このリード線１２Ａ２は、振動伝達部材１２Ｂの背面側から導出されている。
【００６２】
振動吸収部材１２Ｃは、例えば、軟質の合成ゴムや発泡樹脂などの適宜の弾性材料により構成されている。この振動吸収部材１２Ｃ内の底部には、振動体１２Ａに接続されたリード線１２Ａ２の先端のコネクタ１２Ａ１が挿入される長孔１２Ｃ１が形成されている。
【００６３】
ここで、振動体１２Ａ、振動伝達部材１２Ｂ、振動吸収部材１２Ｃからなる振動部１２は、振動伝達部材１２Ｂから導出されたリード線１２Ａ２の先端のコネクタ１２Ａ１が振動吸収部材１２Ｃの長孔１２Ｃ１に挿入され、この状態で振動伝達部材１２Ｂが振動吸収部材１２Ｃに嵌め込まれて接着される。そして、この振動部１２は、操作グリップ１の装着凹部１Ｊの底部に臨んで設置されたコネクタ１Ｋに振動吸収部材１２Ｃから導出されたコネクタ１２Ａ１が接続され、この状態で振動吸収部材１２Ｃが装着凹部１Ｊに嵌め込まれて接着されることにより、操作グリップ１の基端部の周面に装着される（図２０参照）。
【００６４】
このような構造の振動部１２によれば、比較的大型の振動伝達部材１２Ｂが操作グリップ１の長手方向に沿ってその基端部の周面に配置されているため、操作グリップ１を握った掌で振動伝達部材１２Ｂの振動を容易に感知することができる。
【００６５】
さらに、本発明の放射線検出器において、図１に示した振動部８は、図２１〜図２３に示す構造の振動部１３に変更することができる。この振動部１３は、操作グリップ１の基端面に形成された角型の装着凹部１Ｌに装着されることで操作グリップ１のグリップエンドを構成するものであり、制御部５からの振動体駆動信号に応じて振動する振動体１３Ａを内蔵した角型キャップ状の振動伝達部材１３Ｂと、この振動伝達体１３Ｂを嵌めこんで保持するボックス状の振動吸収部材１３Ｃとを備えて構成されている（図２２参照）。
【００６６】
振動体１３Ａは、例えばスピーカやブザー、偏心オモリを用いたバイブレータ、スピーカ・バイブレータ一体型振動体等により構成されている。この振動体１３Ａには、制御部５に接続するためのコネクタ１３Ａ１を有する４本のリード線１３Ａ２が接続されている。このリード線１３Ａ２は、振動伝達部材１３Ｂの背面側から導出されている。
【００６７】
振動伝達部材１３Ｂは、操作グリップ１のグリップエンドを構成するように、その正面部分が湾曲面に形成され、背面側には振動吸収部材１３Ｃの装着凹部１３Ｃ１に嵌め込まれる嵌合部１３Ｂ１が形成されている。
【００６８】
振動吸収部材１３Ｃは、例えば、軟質の合成ゴムや発泡樹脂などの適宜の弾性材料により構成されている。この振動吸収部材１３Ｃの装着凹部１３Ｃ１内の底部には、振動体１３Ａに接続されたリード線１３Ａ２の先端のコネクタ１３Ａ１が挿入される長孔１３Ｃ２が形成されている。また、振動吸収部材１３Ｃの装着凹部１３Ｃ１の開口部周縁には、操作グリップ１の基端面に形成された装着凹部１Ｌの周縁部と振動伝達部材１３Ｂとの間に挟まれるフランジ部１３Ｃ３が形成されている。
【００６９】
ここで、振動体１３Ａ、振動伝達部材１３Ｂ、振動吸収部材１３Ｃからなる振動部１３は、振動伝達部材１３Ｂから導出されたリード線１３Ａ２の先端のコネクタ１３Ａ１が振動吸収部材１３Ｃの長孔１３Ｃ２に挿入され、この状態で振動吸収部材１３Ｃの装着凹部１３Ｃ１に振動伝達部材１３Ｂの嵌合部１３Ｂ１が嵌め込まれて接着される。そして、この振動部１３は、操作グリップ１の装着凹部１Ｌの底部に臨んで設置されたコネクタ１Ｍに振動吸収部材１３Ｃから導出されたコネクタ１３Ａ１が接続され、この状態で振動吸収部材１３Ｃが操作グリップ１の装着凹部１Ｌに嵌め込まれて接着されることにより、操作グリップ１のグリップエンドを構成する（図２３参照）。
【００７０】
このような構造の振動部１３によれば、振動伝達部材１３Ｂが操作グリップ１のグリップエンドを構成しているため、親指をグリップエンド側に向けて操作グリップ１を握る持ち方の場合、親指をグリップエンドに触れることで、振動伝達部材１３Ｂの振動を容易に感知することができる。
【００７１】
また、本発明の放射線検出器において、図１に示した振動部８は、図２４、図２５に示す構造の振動部１４に変更することができる。この振動部１４は、操作グリップ１の基端面に形成された角型の接続凹部１Ｎに嵌合して接続されることで操作グリップ１の基端部側を構成するものであり、制御部５からの振動体駆動信号に応じて振動する振動体１４Ａを内蔵した角筒状の振動伝達部材１４Ｂと、この振動伝達部材１４Ｂと操作グリップ１の基端部との間に介設されるボックス状の振動吸収部材１４Ｃとを備えて構成されている（図２５参照）。
【００７２】
振動体１４Ａは、例えばスピーカやブザー、偏心オモリを用いたバイブレータ、スピーカ・バイブレータ一体型振動体等により構成されている。この振動体１４Ａには、制御部５に接続するためのコネクタ１４Ａ１を有する４本のリード線１４Ａ２が接続されている。このリード線１４Ａ２は、振動伝達部材１４Ｂの接続端部から導出されている。
【００７３】
振動伝達部材１４Ｂの基端部は、操作グリップ１のグリップエンドを構成するように湾曲面に形成されている。また、振動伝達部材１４Ｂの接続端部には、振動吸収部材１４Ｃの装着凹部１４Ｃ１に嵌め込まれる嵌合部１４Ｂ１が形成されている。
【００７４】
振動吸収部材１４Ｃは、例えば、軟質の合成ゴムや発泡樹脂などの弾性材料で構成されている。この振動吸収部材１４Ｃの装着凹部１４Ｃ１の底部には、振動体１４Ａに接続されたリード線１４Ａ２の先端のコネクタ１４Ａ１が挿入される長孔１４Ｃ２が形成されている。また、振動吸収部材１４Ｃの装着凹部１４Ｃ１の開口部周縁には、操作グリップ１の基端面に形成された接続凹部１Ｎの周縁部と振動伝達部材１４Ｂとの間に挟まれるフランジ部１４Ｃ３が形成されている。
【００７５】
ここで、振動体１４Ａ、振動伝達部材１４Ｂ、振動吸収部材１４Ｃからなる振動部１４は、振動伝達部材１４Ｂから導出されたリード線１４Ａ２の先端のコネクタ１４Ａ１が振動吸収部材１４Ｃの長孔１４Ｃ２に挿入され、この状態で振動吸収部材１４Ｃの装着凹部１４Ｃ１に振動伝達部材１４Ｂの嵌合部１４Ｂ１が嵌め込まれて接着される。そして、この振動部１４は、操作グリップ１の接続凹部１Ｎの底部に臨んで設置されたコネクタ１Ｐに振動吸収部材１４Ｃから導出されたコネクタ１４Ａ１が接続され、この状態で振動吸収部材１４Ｃが操作グリップ１の接続凹部１Ｎに嵌め込まれて接着されることにより、操作グリップ１の基端部側を構成する（図２４参照）。
【００７６】
このような構造の振動部１４によれば、振動伝達部材１４Ｂが操作グリップ１の基端部側を構成しているため、操作グリップ１を握った掌で振動伝達部材１４Ｂの振動を容易に感知することができる。
【００７７】
なお、図２５に示した振動部１４は、図２６に示す振動部１５に変更することができる。この振動部１５は、図２５に示した振動部１４のコネクタ１４Ａ１、リード線１４Ａ２、振動伝達部材１４Ｂ、嵌合部１４Ｂ１、振動吸収部材１４Ｃに対応するコネクタ１５Ａ１、リード線１５Ａ２、振動伝達部材１５Ｂ、嵌合部１５Ｂ１、振動吸収部材１５Ｃを備えている。
【００７８】
ここで、振動伝達部材１５Ｂの嵌合部１５Ｂ１は円筒状に形成されている。これに対応して、振動吸収部材１５Ｃは、振動伝達部材１５Ｂの嵌合部１５Ｂ１を嵌合させる装着孔１５Ｃ１を有する円筒状に形成されていおり、装着孔１５Ｃ１の開口部の周囲には、振動吸収部材１４Ｃのフランジ部１４Ｃ３に対応するフランジ部１５Ｃ３が形成されている。
【００７９】
また、操作グリップ１の基端面には、振動吸収部材１５Ｃの円筒部を嵌合させる円形の接続凹部１Ｑが形成されている。そして、図１に示す制御部５に接続されたリード線１Ｒが操作グリップ１の接続凹部１Ｑから引き出され、その先端部に装着されたコネクタ１Ｓが振動吸収部材１５Ｃの装着孔１５Ｃ１から引き出されたリード線１５Ａ２の先端のコネクタ１５Ａ１に接続される。
【００８０】
このような構造の振動部１５によれば、振動部１４と同様に、振動伝達部材１５Ｂが操作グリップ１の基端部側を構成しているため、操作グリップ１を握った掌で振動伝達部材１５Ｂの振動を容易に感知することができる。
【００８１】
以上説明した実施形態の放射線検出器は、医療用のサージカルプローブとして構成されているが、本発明の放射線検出器の使用目的はこれに限定されるものではなく、広い用途で使用される。
【００８２】
【発明の効果】
以上説明したように、本発明に係る放射線検出器では、放射線検出部が放射線を検出すると、制御部により作動制御される振動部が放射線強度に応じて振動する。その際、振動部の振動は、振動吸収部材に吸収されて操作グリップには殆ど伝わらないため、放射線検出部や制御部の振動に起因する故障が未然に防止される。従って、本発明によれば、検出した放射線強度をその強度に応じた振動として迅速かつ確実に体感でき、しかも、放射線検出部や制御部の振動に起因する故障を未然に防止することができる。
【図面の簡単な説明】
【図１】本発明の一実施形態に係る放射線検出器の概略構造を示す縦断面図である。
【図２】図１に示した振動部の構造を拡大して示す部分断面図である。
【図３】図２に示した振動部の分解斜視図である。
【図４】図１に示した制御部の作用を示すフローチャートである。
【図５】図４に示したスピーカおよび振動体の作動パターンを模式的に示す作動パターン図である。
【図６】図５に示した作動パターンの第１変形例を示す作動パターン図である。
【図７】図５に示した作動パターンの第２変形例を示す作動パターン図である。
【図８】図１に示した振動部の第１変形例の構造を拡大して示す部分断面図である。
【図９】図８に示した振動部の分解斜視図である。
【図１０】図１に示した振動部の第２変形例を示す放射線検出器の斜視図である。
【図１１】図１０に示した振動部の分解斜視図である。
【図１２】図１０に示した振動部の拡大斜視図である。
【図１３】図１０に示した振動部の構造を示す断面図である。
【図１４】図１１に示した支持ベースの変形例を示す斜視図である。
【図１５】図１０に示した振動部の変形例を示す斜視図である。
【図１６】図１０および図１５に示した指先ガイドカバーが固定された状態の放射線検出器の斜視図である。
【図１７】図１６に示した指先ガイドカバーを１個とした放射線検出器の斜視図である。
【図１８】図１に示した振動部の第３変形例を断面として示す放射線検出器の側面図である。
【図１９】図１８に示した振動部の分解斜視図である。
【図２０】図１８に示した振動部の拡大斜視図である。
【図２１】図１に示した振動部の第４変形例を示す放射線検出器の側面図である。
【図２２】図２１に示した振動部の分解斜視図である。
【図２３】図２１に示した振動部の拡大斜視図である。
【図２４】図１に示した振動部の第５変形例を示す放射線検出器の側面図である。
【図２５】図２４に示した振動部の分解斜視図である。
【図２６】図２５に示した振動部の変形例を示す拡大斜視図である。
【符号の説明】
１…操作グリップ、２…放射線検出プローブ、３…バッテリー、４…電源スイッチ、５…制御部、６…表示部、７…音声出力部、８…振動部、８Ａ…振動体、８Ｂ…振動伝達子、８Ｃ…振動吸収部材、９…振動部、１０…振動部、１１…振動部、１２…振動部、１３…振動部、１４…振動部、１５…振動部。
【図１】
2004093456.tif 000003
【図２】
2004093456.tif 000004
【図３】
2004093456.tif 000005
【図４】
2004093456.tif 000006
【図５】
2004093456.tif 000007
【図６】
2004093456.tif 000008
【図７】
2004093456.tif 000009
【図８】
2004093456.tif 000010
【図９】
2004093456.tif 000011
【図１０】
2004093456.tif 000012
【図１１】
2004093456.tif 000013
【図１２】
2004093456.tif 000014
【図１３】
2004093456.tif 000015
【図１４】
2004093456.tif 000016
【図１５】
2004093456.tif 000017
【図１６】
2004093456.tif 000018
【図１７】
2004093456.tif 000019
【図１８】
2004093456.tif 000020
【図１９】
2004093456.tif 000021
【図２０】
2004093456.tif 000022
【図２１】
2004093456.tif 000023
【図２２】
2004093456.tif 000024
【図２３】
2004093456.tif 000025
【図２４】
2004093456.tif 000026
【図２５】
2004093456.tif 000027
【図２６】
2004093456.tif 000028